(57)【要約】【課題】美観を保ちつつ、取手部の変形又は破損を防止できる画像形成装置を提供する。【解決手段】画像形成装置は、フレーム部材２１と、フレーム部材２１の外周の一部を覆う筐体カバー２２と、フレーム部材２１の水平部分２１ａの下部に近接するように、筐体カバー２２にその裏面２２ｂ側に向けて袋状に窪んで設けられた取手部２３と、取手部２３の上部に設けられた、水平部分２１ａと嵌合される、嵌合部と、筐体カバー２２をフレーム部材２１に固定する締結部材３１と、を有している。筐体カバー２２の側縁２２ｃには、裏面２２ｂ側に向けて立設された締結片２７が設けられ、締結片２７には、締結部材３１が挿通される貫通穴が設けられ、そして、締結片２７が、締結部材３１によってフレーム部材２１に固定されている。【選択図】図７
2010197477.tif 000002
【特許請求の範囲】
【請求項１】
（ａ）フレーム部材と、（ｂ）前記フレーム部材の外周の一部を覆う筐体カバーと、（ｃ）前記フレーム部材の水平部分の下部に近接するように、前記筐体カバーにその裏面側に向けて袋状に窪んで設けられた取手部と、（ｄ）前記取手部の上部に設けられた、前記フレーム部材の水平部分と嵌合される、嵌合部と、（ｅ）前記筐体カバーを前記フレーム部材に固定する締結部材と、を有する画像形成装置において、
前記筐体カバーの側縁には、前記裏面側に向けて立設された１又は複数の締結片が設けられ、
１又は複数の前記締結片には、前記締結部材が挿通される貫通穴が設けられ、そして、
１又は複数の前記締結片が、前記締結部材によって前記フレーム部材に固定されている
ことを特徴とする画像形成装置。
【請求項２】
前記フレーム部材を覆うとともに少なくとも１つの前記締結片を覆う可動カバーが設けられていることを特徴とする請求項１に記載の画像形成装置。
【請求項３】
前記嵌合部には、前記フレーム部材の水平部分が内側に配置される凹部が設けられ、そして、
前記フレーム部材の水平部分と前記凹部との間には、隙間が設けられていることを特徴とする請求項１又は２に記載の画像形成装置。
【請求項４】
少なくとも１つの前記締結片が、前記取手部より下側に設けられていることを特徴とする請求項１〜３のいずれか一項に記載の画像形成装置。
【請求項５】
前記筐体カバーの側縁の前記取手部より上側には、前記裏面側に向けて立設されるとともに、一端が前記側縁に連接され且つ他端が上方に向けて配された、前記フレーム部材に係合される略Ｌ字状の引っ掛け爪が設けられていることを特徴とする請求項４に記載の画像形成装置。
【請求項６】
前記嵌合部が、金属で形成されていることを特徴とする請求項１〜５のいずれか一項に記載の画像形成装置。
【発明の詳細な説明】
【技術分野】
【０００１】
本発明は、画像形成装置に関し、特に、その外周の一部（即ち、前面、側面、又は、後面）を覆う筐体カバーに、袋状に窪んだ取手部が設けられた画像形成装置に関する。
【背景技術】
【０００２】
画像形成装置は、筐体の垂直面である外周を覆うプラスチックなどの合成樹脂製の筐体カバーを備えており、一部の筐体カバーには、その裏面側に向けて袋状に窪んだ（即ち、凹状の）取手部が設けられている。この取手部は、例えば、筐体カバーを製造する際に、樹脂一体成形によって筐体カバーに連接して形成される。このような取手部は、運搬時に手を掛けて装置を持ち上げることを目的としている。そのため、筐体カバーの裏面側に位置する取手部の上部が、装置の骨格を構成するフレーム又は該フレームに固定した補強材などのフレーム部材に近接（当接含む）されており、このフレーム部材で荷重を受けるようにして、持ち上げ方向（上方向）の補強がされている。
【０００３】
しかしながら、上述した取手部は、利用者が装置を引きずる方向（横方向）に荷重をかけることが想定されていなかったため、横方向に荷重を受けた場合に、筐体カバーがたわみ破損してしまうという問題があった。そして、このような問題を解決するための提案が特許文献１にてなされている。
【０００４】
特許文献１に示される画像形成装置は、取手部の裏面側上部にフレーム部材に掛合されるリブを備えており、このリブがフレーム部材に掛合されることにより、該リブを介して上述した横方向の荷重をフレーム部材で受けることができ、そのため、筐体カバーのたわみを防いでその破損を防止することができた。
【発明の概要】
【発明が解決しようとする課題】
【０００５】
しかしながら、上述した画像形成装置は、該装置を移動する際に作業者が取手部に手を掛けることにより、取手部に集中して荷重が加えられるが、取手部が筐体カバー裏面側に向けて窪んだ（即ち、突出した）形状であって筐体カバーとの連接箇所が少ないので、また、筐体カバー及び取手部が合成樹脂を用いて一体に形成されているので、取手部の強度が不足し、そのため、取手部に荷重が加えられると取手部が変形又は破損して、上記リブとフレーム部材との掛合が外れてしまう恐れがあった。そして、これを回避するためには、図８に示す画像形成装置（図中、符号７０１で示す）のように、取手部７１２の近傍などに筐体カバー７１１とフレーム部材（図示なし）とを固定するボルトなどの締結部材７１３を設けて、取手部に加えられた荷重を筐体カバーを介してフレーム部材に伝える、即ち、荷重を分散させる必要があった。しかしながら、このように取手部の近傍などにボルトを設けると、筐体カバーの表面側に該ボルトの頭が露出してしまい、画像形成装置の美観を損ねてしまうという問題があった。
【０００６】
本発明は、上記課題に係る問題を解決することを目的としている。即ち、本発明は、美観を保ちつつ、取手部の変形又は破損を防止できる画像形成装置を提供することを目的としている。
【課題を解決するための手段】
【０００７】
請求項１に記載された発明は、上記目的を達成するために、（ａ）フレーム部材と、（ｂ）前記フレーム部材の外周の一部を覆う筐体カバーと、（ｃ）前記フレーム部材の水平部分の下部に近接するように、前記筐体カバーにその裏面側に向けて袋状に窪んで設けられた取手部と、（ｄ）前記取手部の上部に設けられた、前記フレーム部材の水平部分と嵌合される、嵌合部と、（ｅ）前記筐体カバーを前記フレーム部材に固定する締結部材と、を有する画像形成装置において、前記筐体カバーの側縁には、前記裏面側に向けて立設された１又は複数の締結片が設けられ、１又は複数の前記締結片には、前記締結部材が挿通される貫通穴が設けられ、そして、１又は複数の前記締結片が、前記締結部材によって前記フレーム部材に固定されていることを特徴とする画像形成装置である。
【０００８】
請求項２に記載された発明は、請求項１に記載された発明において、前記フレーム部材を覆うとともに少なくとも１つの前記締結片を覆う可動カバーが設けられていることを特徴とするものである。
【０００９】
請求項３に記載された発明は、請求項１又は２に記載された発明において、前記嵌合部には、前記フレーム部材の水平部分が内側に配置される凹部が設けられ、そして、前記フレーム部材の水平部分と前記凹部との間には、隙間が設けられていることを特徴とするものである。
【００１０】
請求項４に記載された発明は、請求項１〜３のいずれか一項に記載された発明において、少なくとも１つの前記締結片が、前記取手部より下側に設けられていることを特徴とするものである。
【００１１】
請求項５に記載された発明は、請求項４に記載された発明において、前記筐体カバーの側縁の前記取手部より上側には、前記裏面側に向けて立設されるとともに、一端が前記側縁に連接され且つ他端が上方に向けて配された、前記フレーム部材に係合される略Ｌ字状の引っ掛け爪が設けられていることを特徴とするものである。
【００１２】
請求項６に記載された発明は、請求項１〜３のいずれか一項に記載された発明において、前記嵌合部が、金属で形成されていることを特徴とするものである。
【発明の効果】
【００１３】
請求項１に記載された発明によれば、（ａ）フレーム部材と、（ｂ）前記フレーム部材の外周の一部を覆う筐体カバーと、（ｃ）前記フレーム部材の水平部分の下部に近接するように、前記筐体カバーにその裏面側に向けて袋状に窪んで設けられた取手部と、（ｄ）前記取手部の上部に設けられた、前記フレーム部材の水平部分と嵌合される、嵌合部と、（ｅ）前記筐体カバーを前記フレーム部材に固定する締結部材と、を有する画像形成装置において、前記筐体カバーの側縁には、前記裏面側に向けて立設された１又は複数の締結片が設けられ、１又は複数の前記締結片には、前記締結部材が挿通される貫通穴が設けられ、そして、１又は複数の前記締結片が、前記締結部材によって前記フレーム部材に固定されているので、締結部材が筐体カバーの側縁に配置され、そのため、筐体カバーをその正面（表面）側から見たときに、締結部材が筐体カバーの表面側に露出されることなく、締結部材を視認されなくすることができる。また、締結片が締結部材によってフレーム部材に固定されるので、取手部に荷重が加えられたとき、締結片及び締結部材を介して荷重をフレーム部材に伝えることができ、即ち、荷重を分散することができる。したがって、美観を保ちつつ、取手部の変形又は破損を防止できる。
【００１４】
請求項２に記載された発明によれば、前記フレーム部材を覆うとともに少なくとも１つの前記締結片を覆う可動カバーが設けられているので、可動カバーによって、締結片が覆われることにより、筐体カバーをその側方から見たときにも、該締結片及び締結部材が視認されなくなり、美観をより保つことができる。また、締結片を容易に露出させることができるので、筐体カバーの取り外しが容易になり、そのため、メンテナンス性を向上させることができる。
【００１５】
請求項３に記載された発明によれば、前記嵌合部には、前記フレーム部材の水平部分が内側に配置される凹部が設けられ、そして、前記フレーム部材の水平部分と前記凹部との間には、隙間が設けられているので、フレーム部材と嵌合部とを嵌合させるときに、嵌合部に設けられた凹部にフレーム部材の水平部分を容易に挿入でき、組立性を向上させることができる。
【００１６】
請求項４に記載された発明によれば、少なくとも１つの前記締結片が、前記取手部より下側に設けられているので、画像形成装置を持ち上げる際に作業者が取手部に手を掛けることにより、取手部に筐体カバーの表面側上方に向かう荷重が加えられた場合においても、筐体カバーの取手部より下側の部分が、フレーム部材から離れて浮き上がることを防ぐことができる。そのため、筐体カバーの変形による取手部とフレーム部材との嵌合外れを防ぐことができる。
【００１７】
請求項５に記載された発明によれば、前記筐体カバーの側縁の前記取手部より上側には、前記裏面側に向けて立設されるとともに、一端が前記側縁に連接され且つ他端が上方に向けて配された、前記フレーム部材に係合される略Ｌ字状の引っ掛け爪が設けられているので、画像形成装置を持ち上げる際に作業者が取手部に手を掛けることにより、取手部に筐体カバーの表面側上方に向かう荷重が加えられた場合においても、筐体カバーの取手部より上側の部分が、フレーム部材に取り付けられた状態を維持することができ、そのため、締結片及び締結部材の数を少なくすることができ、また、ねじ締めなどの締結部材を締結する作業を省くことができ、コストを低減することができる。
【００１８】
請求項６に記載された発明によれば、前記嵌合部が、金属で形成されているので、取手部とフレーム部材との嵌合の強度を高めることができる。
【図面の簡単な説明】
【００１９】
【図１】本発明の一実施形態である画像形成装置を示す斜視図である。
【図２】図１の画像形成装置において、筐体カバーの一部をくり抜いた斜視図である。
【図３】図１の画像形成装置の筐体カバーの側面図である。
【図４】取手部の拡大断面図である。
【図５】取手部の変形例の構成を示す拡大断面図である。
【図６】図１の画像形成装置の正面図である。
【図７】画像形成装置を持ち上げようとしたときに加わる力を説明する図である。
【図８】従来の画像形成装置の部分斜視図である。
【発明を実施するための形態】
【００２０】
以下に、本発明に係る画像形成装置の一実施形態を、図１〜図７を参照して説明する。各図に示す画像形成装置（図中、符号１で示す）は、複写機能、ファクシミリ機能、及び、プリンタ機能を備えた複合機である。また、本実施形態は、本発明の一例であって、例えば、複写機能やファクシミリ機能、プリンタ機能などの単機能を備えた複写機、ファクシミリ、プリンタなどに本発明を適用しても良い。
【００２１】
画像形成装置１は、図１、図２に示すように、本体ケース１０と、作像部３５と、制御部３６と、画像読取部４０と、操作パネル５０と、を備えている。
【００２２】
本体ケース１０は、略立方体状に形成された下ケース１１と、下ケース１１の上面１１ａの上方に間隔をあけて配された、平たい略四角箱状の上ケース１２と、下ケース１１の上面１１ａの後縁及び一方の側縁から垂直に立設された、下ケース１１と上ケース１２とを連接する、上面視略Ｌ字状の連接部１３と、をそれぞれ組み合わせた形状を有する。
【００２３】
本体ケース１０は、フレーム部材２１と、筐体カバー２２と、締結部材３１と、前面カバー３２と、用紙トレー３３と、を備えている。
【００２４】
フレーム部材２１は、画像形成装置１の骨格をなしており、板状や角筒状などに形成された複数の鋼材が、下ケース１１、上ケース１２、及び、連接部１３の形状に対応するように互いに組み合わされて構成されている。フレーム部材２１には、水平（略水平含む）に配置される水平部分２１ａが設けられている。フレーム部材２１がその周囲を筐体カバー２２などの複数の外装部材等によって覆われることにより、下ケース１１、上ケース１２、及び、連接部１３、が形づくられる。
【００２５】
筐体カバー２２は、例えば、プラスチック等の合成樹脂を用いて略矩形板状に形成されており、下ケース１１の一方の側面として、フレーム部材２１の外周の一部を覆うように配置されている。筐体カバー２２には、図３に示すように、取手部２３と、締結片２７と、引っ掛け爪２９と、が設けられている。また、筐体カバー２２と同様の構成の図示しない他の筐体カバーが、下ケース１１の他方の側面として、筐体カバー２２に相対してフレーム部材２１の外周の他の一部を覆うように配置されている。
【００２６】
取手部２３は、図４に示すように、筐体カバー２２の表面２２ａ側に開口され且つ裏面２２ｂ側に向けて袋状で縦断面が略Ｌ字状に窪んで形成されている。取手部２３は、合成樹脂を用いて筐体カバー２２と一体に形成されている。取手部２３は、筐体カバー２２をフレーム部材２１に取り付けたときに、その上部２４がフレーム部材２１の水平部分２１ａの下部に近接（当接含む）して配置される。取手部２３の上部２４には、嵌合部２５が設けられている。
【００２７】
嵌合部２５は、筐体カバー２２がフレーム部材２１に取り付けられたときに、フレーム部材２１の水平部分２１ａと嵌合される部位であり、該水平部分２１ａが内側に配置される凹部２６が設けられている。この凹部２６は、水平部分２１ａとの間に、１ｍｍ〜１．５ｍｍ程度の隙間Ｄが生じるように、その幅が水平部分２１ａより若干大きく形成されている。このようにすることで、凹部２６に、フレーム部材２１の水平部分２１ａを容易に挿入して嵌合させることができ、組立性を向上させることができる。図４では、フレーム部材２１の水平部分２１ａと凹部２６との間に小さな空間が設けられている（即ち、近接されている）。そして、取手部２３に上方に向かう荷重が加えられると、筐体カバー２２がたわんで水平部分２１ａと凹部２６とが当接され、取手部２３を介して、荷重がフレーム部材２１に加えられる。また、水平部分２１ａと凹部２６と（即ち、フレーム部材２１と上部２４と）は、最初から互いに当接して配置されていても良い。
【００２８】
本実施形態において、嵌合部２５は、水平部分２１ａが内側に配置される凹部２６を備えるものであったが、これに限らず、例えば、水平部分２１ａの下面に貫通穴を設け、そして、嵌合部２５として、上記貫通穴に嵌合されるように上方に向けて突出して形成された突部を、取手部２３の上部２４に設けるなど、取手部２３とフレーム部材２１とを嵌合させるものであれば、嵌合部２５の構造は任意である。また、取手部２３は、筐体カバー２２と一体に形成されているものであったが、これに限らず、例えば、図５に示すように、合成樹脂製の取手部２３の上部２４に代えて、金属等の硬質の材料からなる上部２４Ａを用い、嵌合部２５をこのような硬質の材料で形成しても良い。このようにすることで、取手部２３とフレーム部材２１との嵌合の強度を高めることができる。
【００２９】
締結片２７は、筐体カバー２２の側縁２２ｃに、筐体カバー２２の裏面２２ｂ側に向けて垂直に立設された矩形板状片であり、取手部２３より下側に設けられている。ここで、側縁２２ｃとは、筐体カバー２２を表面２２ａから見たときに左右に位置する縁（端）のことをいう。締結片２７は、筐体カバー２２の両側の側縁にそれぞれ設けられ、それらは互いに対向して配置されている。締結片２７には、締結部材３１が挿通される貫通穴２８が設けられている。締結片２７は、筐体カバー２２の側方から貫通穴２８に締結部材３１が挿入されて、フレーム部材２１における、下ケース１１の前面１１ｂ側に対応する箇所及び後面側に対応する箇所、のそれぞれに固定される。また、締結片２７は、側縁２２ｃの任意の箇所に１又は複数個設けることができるが、少なくとも１つの締結片２７が、取手部２３より下側に設けられていることが望ましい。
【００３０】
引っ掛け爪２９は、筐体カバー２２の裏面側に向けて立設されるとともに、一端２９ａが側縁２２ｃに連接され且つ他端２９ｂが上方に向けて配された、略Ｌ字板状片であり、取手部２３より上側に設けられている。引っ掛け爪２９は、筐体カバー２２の両側の側縁にそれぞれ設けられ、それらは互いに対向して配置されている。引っ掛け爪２９は、フレーム部材２１の前面１１ｂ側及び後面側に向けて突出された水平棒状の爪受部２１ｂが、Ｌ字の内側に挿入されることにより、フレーム部材２１に係合される。また、引っ掛け爪２９に代えて、他の締結片２７を設けても良い。
【００３１】
締結部材３１は、周知のねじであり、締結片２７の貫通穴２８に挿通されて、フレーム部材２１に設けられたねじ受け部に螺合されることにより、フレーム部材２１との間に締結片２７を狭持して、筐体カバー２２をフレーム部材２１に固定する。本実施形態においては、締結部材としてねじを用いるものであったが、これに限らず、例えば、筐体カバー２２を取り外す必要がなければ、締結部材としてリベットを用いるなど、本発明の目的に反しない限り、締結部材の構造は任意である。
【００３２】
前面カバー３２は、下ケース１１の前面１１ｂの上部に設けられており、その下端が図示しないヒンジ部によって回動可能にフレーム部材２１に取り付けられている。前面カバー３２は、例えば、紙詰まり時やトナー交換時などの画像形成装置１の内側にアクセスする際に、その下端を中心として回動、即ち、開閉される。前面カバー３２は、それが閉じられたときに、フレーム部材２１、及び、筐体カバー２２の側縁２２ｃの上部、を覆うように配置されている。上述した引っ掛け爪２９に代えて、他の締結片２７を設けたとき、前面カバー３２は、請求項中の可動カバーに相当する。
【００３３】
用紙トレー３３は、引き出し状に形成されており、下ケース１１の前面１１ｂの下部に、出し入れ可能に収容されている。用紙トレー３３には、複写した画像等が出力される記録紙が収容される。用紙トレー３３は、下ケース１１に収容されたとき、その前面パネル３３ａが、フレーム部材２１、及び、締結片２７が設けられた筐体カバー２２の側縁２２ｃの下部、を覆うように配置されている。用紙トレー３３は、請求項中の可動カバーに相当する。
【００３４】
作像部３５は、用紙トレー３３から給紙された記録紙に画像を形成する（即ち、画像等を出力する）部位である。作像部３５は下ケース１１に収容されている。作像部３５は、像担持体としての感光体ドラムや、感光体ドラム上に静電潜像を形成する露光ユニット、感光体ドラム上の静電潜像を現像してトナー像を形成する現像ユニット、感光体ドラム上のトナー像を記録紙に転写する転写ユニット、記録紙に転写したトナー像を定着させる定着ユニット、などを備えている。作像部３５は、まず、感光体の表面を均一に帯電させた後、所望の画像に応じた露光によって静電潜像を形成する。次にその潜像を現像ユニットでトナーによって現像（顕像化）し、記録紙に転写して、顕像を定着させたのち、該記録紙を、下ケース１１の上面１１ａに設けられた排紙トレー部（図示なし）に排出する。制御部３６は、周知のマイクロコンピュータや画像情報を記憶するためのハードディスク装置などを備えており、画像形成装置１の全体の制御を司る部位である。制御部３６は、図１に示すように、下ケース１１と連接部１３とにまたがって、本体ケース１０の後面側（即ち、前面１１ｂと相対する面側）に配設されている。
【００３５】
画像読取部４０は、上ケース１２の上面に配設されたコンタクトガラス（図示なし）と、コンタクトガラスとを重ねて配置された開閉可能な原稿カバー４１と、コンタクトガラスを介して、原稿カバー４１と対向して配置された光学系ユニット（図示なし）と、を備えている。光学系ユニットは、光源や複数のミラー、レンズユニット、画像センサとしてのＣＣＤなど、を備えている。そして、画像読取部４０は、コンタクトガラス上に載置された原稿に、光源からの光を照射し、原稿に反射された光をミラー及びレンズユニットを介してＣＣＤに入力する。そして、ＣＣＤに入力されたアナログ情報としての画像情報をデジタル情報に変換して、この変換された画像情報を、ハードディスク装置などに記憶するために制御部３６に送信したり、該画像情報に基づく画像を形成するために作像部３５に送信したりする。
【００３６】
操作パネル５０は、上ケース１２の上面前部に設けられており、前方に向かうにしたがって下方に向かうように（即ち、前方上方に向けて）傾斜されている。操作パネル５０は、各種操作ボタンや、画像形成装置１の動作状態等を示す液晶ディスプレイなどの表示装置などを備えている。画像形成装置１は、この操作パネル５０に対して各種機能に対応した操作を入力されることにより、該操作に応じた動作を行う。
【００３７】
次に、上述した実施形態における本発明に係る作用について、図６、図７を参照して説明する。図７において、筐体カバー２２は、フレーム部材２１に取り付けられている。このとき、取手部２３は、フレーム部材２１の水平部分２１ａと嵌合されており、締結片２７は、その貫通穴２８に締結部材３１が挿通されてフレーム部材２１に固定されており、引っ掛け爪２９は、フレーム部材２１の爪受部２１ｂに係合されている。この状態において、筐体カバー２２の側縁２２ｃは、図６に示すように、前面カバー３２及び用紙トレー３３の前面パネル３３ａによって覆われており、そのため、締結片２７及び締結部材３１は、画像形成装置１の側方（即ち、筐体カバー２２の正面）及び正面（即ち、筐体カバー２２の側方）から視認されない。
【００３８】
そして、作業者などが、取手部２３に手を挿入して、画像形成装置１を持ち上げようとしたとき、筐体カバー２２の表面２２ａ側の上方に向かう荷重Ｆが取手部２３に加えられる。すると、荷重Ｆの一部が取手部２３を介してフレーム部材２１に加えられ、また、荷重Ｆの他の一部が締結片２７及び締結部材３１を介してフレーム部材２１に加えられ、つまり、荷重Ｆが分散される。
【００３９】
また、荷重Ｆにより、引っ掛け爪２９を中心とする回転モーメントＭが筐体カバー２２に生じて、筐体カバー２２の取手部２３より下側の部分が浮き上がろうとする。しかし、締結片２７及び締結部材３１によって、筐体カバー２２の側縁２２ｃの取手部２３より下側がフレーム部材２１に固定されているので、上述した浮き上がりを防ぐ。
【００４０】
以上より、本発明によれば、フレーム部材２１と、フレーム部材２１の外周の一部を覆う筐体カバー２２と、フレーム部材２１の水平部分２１ａの下部に近接するように、筐体カバー２２にその裏面２２ｂ側に向けて袋状に窪んで設けられた取手部２３と、取手部２３の上部２４に設けられた、フレーム部材２１の水平部分２１ａと嵌合される、嵌合部２５と、筐体カバー２２をフレーム部材２１に固定する締結部材３１と、を有する画像形成装置１において、筐体カバー２２の側縁２２ｃには、裏面２２ｂ側に向けて立設された締結片２７が設けられ、締結片２７には、締結部材３１が挿通される貫通穴２８が設けられ、そして、締結片２７が、締結部材３１によってフレーム部材２１に固定されているので、締結部材３１が筐体カバー２２の側縁２２ｃに配置され、そのため、筐体カバー２２をその正面（表面２２ａ）側から見たときに、締結部材３１が筐体カバー２２の表面２２ａ側に露出されることなく、締結部材３１を視認されなくすることができる。また、締結片２７が締結部材３１によってフレーム部材２１に固定されるので、取手部２３に荷重が加えられたとき、締結片２７及び締結部材３１を介して荷重をフレーム部材２１に伝えることができ、即ち、荷重を分散することができる。したがって、美観を保ちつつ、取手部２３の変形又は破損を防止できる。
【００４１】
また、フレーム部材２１を覆うとともに締結片２７を覆う用紙トレー３３が設けられているので、用紙トレー３３によって、締結片２７が覆われることにより、筐体カバー２２をその側方から見たときにも、締結片２７及び締結部材３１が視認されなくなり、美観をより保つことができる。また、用紙トレー３３を引き出すことにより、締結片２７を容易に露出させることができるので、筐体カバー２２の取り外しが容易になり、そのため、メンテナンス性を向上させることができる。
【００４２】
また、嵌合部２５には、フレーム部材２１の水平部分２１ａが内側に配置される凹部２６が設けられ、そして、フレーム部材２１の水平部分２１ａと凹部２６との間には、隙間Ｄが設けられているので、フレーム部材２１と嵌合部２５とを嵌合させるときに、嵌合部２５に設けられた凹部２６にフレーム部材２１の水平部分２１ａを容易に挿入でき、組立性を向上させることができる。
【００４３】
また、締結片２７が、取手部２３より下側に設けられているので、画像形成装置１を持ち上げる際に作業者が取手部２３に手を掛けることにより、取手部２３に筐体カバー２２の表面２２ａ側上方に向かう荷重Ｆが加えられた場合においても、筐体カバー２２の取手部２３より下側の部分が、フレーム部材２１から離れて浮き上がることを防ぐことができる。そのため、筐体カバーの変形による取手部２３とフレーム部材２１との嵌合外れを防ぐことができる。
【００４４】
また、筐体カバー２２の側縁２２ｃの取手部２３より上側には、裏面２２ｂ側に向けて立設されるとともに、一端２９ａが側縁２２ｃに連接され且つ他端２９ｂが上方に向けて配された、フレーム部材２１の爪受部２１ｂに係合される略Ｌ字状の引っ掛け爪２９が設けられているので、画像形成装置１を持ち上げる際に作業者が取手部２３に手を掛けることにより、取手部２３に筐体カバーの表面２２ａ側上方に向かう荷重Ｆが加えられた場合においても、筐体カバー２２の取手部２３より上側の部分が、フレーム部材２１に取り付けられた状態を維持することができ、そのため、締結片２７及び締結部材３１の数を少なくすることができ、また、ねじ締めなどの締結部材３１を締結する作業を省くことができ、コストを低減することができる。
【００４５】
本実施形態においては、画像形成装置１の側面となる筐体カバー２２に取手部２３を設けるものであったが、これに限らず、前面、又は、後面に配された他の筐体カバーなどに取手部を設ける構成であっても良い。
【００４６】
なお、本発明は、上記実施形態に限定されるものではない。即ち、本発明の骨子を逸脱しない範囲で種々変形して実施することができる。
【符号の説明】
【００４７】
１        画像形成装置
１０      本体ケース
１１      下ケース
２１      フレーム部材
２１ａ    水平部分
２２      筐体カバー
２２ａ    表面
２２ｂ    裏面
２２ｃ    側縁
２３      取手部
２４      取手部の上部
２５      嵌合部
２６      凹部
２７      締結片
２８      貫通穴
２９      引っ掛け爪
３１      締結部材
３２      前面カバー
３３      用紙トレー（可動カバー）
Ｄ        隙間
【先行技術文献】
【特許文献】
【００４８】
【特許文献１】特開２００６−１９５０００号公報
【図１】
2010197477.tif 000003
【図２】
2010197477.tif 000004
【図３】
2010197477.tif 000005
【図４】
2010197477.tif 000006
【図５】
2010197477.tif 000007
【図６】
2010197477.tif 000008
【図７】
2010197477.tif 000009
【図８】
2010197477.tif 000010